(57)【要約】【課題】郵便物の発送作業と発送郵便物のデータ管理作業の負担を軽減・緩和する郵便物のデータ処理方法とデータ処理システムの提供。【解決手段】コンピュータの記憶手段に郵便種別並びに郵便料金のデータと差出人のデータと発送郵便物のデータとを蓄積し、該記憶手段に蓄積されたデータを郵便物発送作業の内容乃至目的に応じて指定された表示形式で出力手段に出力し、出力された蓄積データの表示項目を選定・設定して前記コンピュータに入力することにより発送郵便物の発送内容と発送方法を特定して郵便物発送作業を実行すると共に、該入力それ自体により発送郵便物のデータを前記コンピュータに入力して蓄積させて、両作業の作業効率を向上させその負担を軽減・緩和する。【選択図】      図３
2004272525.tif 000002
【特許請求の範囲】
【請求項１】
コンピュータの記憶手段に郵便種別並びに郵便料金のデータと差出人のデータと発送郵便物のデータとを蓄積し、
該記憶手段に蓄積されたデータを郵便物発送作業の内容乃至目的に応じて指定された表示形式で出力手段に出力し、
出力された蓄積データの表示項目を選定・設定して前記コンピュータに入力することにより発送郵便物の発送内容と発送方法を特定して郵便物発送作業を実行すると共に、
該入力それ自体により発送郵便物のデータを前記コンピュータに入力して蓄積させる、
ことを特徴とする郵便物のデータ処理方法。
【請求項２】
出力された蓄積データの表示項目を選定・設定してコンピュータに入力することにより該コンピュータを以て郵便用計器類と郵便物発送用の補助機器を制御する、
ことを特徴とする郵便物のデータ処理方法。
【請求項３】
出力された蓄積データの表示項目の選定・設定をタッチパネルを以てコンピュータに入力する、
ことを特徴とする請求項１又は請求項２に記載の郵便物のデータ処理方法。
【請求項４】
郵便種別並びに郵便料金のデータと差出人のデータと発送郵便物のデータとを蓄積する記憶手段を備えたコンピュータと、
該コンピュータの記憶手段に蓄積されたデータを郵便物発送作業の内容乃至目的に応じて指定された表示形式で出力する出力手段と、
出力された蓄積データの表示項目を選定・設定して前記コンピュータに入力することにより発送郵便物の発送内容と発送方法を特定して郵便物発送作業を実行すると共に該入力それ自体により発送郵便物のデータを前記コンピュータに入力して蓄積させる入力手段と、
前記コンピュータに制御可能に接続された郵便用計器類とを有してなる、
ことを特徴とする郵便物のデータ処理システム。
【請求項５】
コンピュータに郵便物発送用の補助機器を接続してなる、
ことを特徴とする請求項４に記載の郵便物のデータ処理システム。
【請求項６】
入力手段がタッチパネルである、
ことを特徴とする請求項４又は請求項５に記載の郵便物のデータ処理システム。
【請求項７】
コンピュータに郵便物のデータ処理を行わせるためのプログラムを記録した記録媒体であって、
記憶手段に郵便種別並びに郵便料金のデータと差出人のデータと発送郵便物のデータとを蓄積し、
該記憶手段に蓄積されたデータを郵便物発送作業の内容乃至目的に応じて用意された表示形式で出力手段に出力し、
出力された蓄積データの表示項目を選定・設定して前記コンピュータに入力することにより発送郵便物の発送内容と発送方法を特定して郵便物発送作業を実行すると共に、
該入力それ自体により発送郵便物のデータを前記コンピュータに入力して蓄積させる、
郵便物のデータ処理をコンピュータに行わせるためのプログラムを記録した記録媒体。
【発明の詳細な説明】
【０００１】
【発明の属する技術分野】
本発明は、郵便物のデータ処理方法およびデータ処理システム、さらに詳しくは、発送郵便物のデータを蓄積して集計・管理するコンピュータによって郵便物の発送作業を支援・支持すると共に、郵便物発送作業それ自体によって発送郵便物のデータを前記コンピュータに入力する、郵便物のデータ処理方法およびデータ処理システムに関する。
【０００２】
【従来の技術】
多岐にわたる郵便種別の中から所定の分類・種類を選定し、複雑な料金体系に照合して正しい料金を確認して行なわなければならない郵便物の発送作業が煩雑なことは否定できず、特に大量の郵便物を日常的に発送しなければならない多くの事業所は、郵便物発送作業に多大な労力と経費の負担を強いられ続けている。また、これら発送郵便物のデータを記録・蓄積・検索・集計するデータ管理作業も、事業所の経費管理・事務管理・顧客管理などの上で欠くことができないが、日常的に累積して行く膨大な発送郵便物のデータ量とその中に混在する差出人（発送部門）・郵便種別・郵便料金などの多様なデータ種類が記録・蓄積・検索・集計のデータ管理作業を困難なものとし、郵便物の発送作業と同様に労力・経費の両面で大きな負担を余儀なくされ続けている。
これに対して、郵便物の発送作業と発送郵便物のデータ管理作業それぞれの負担を緩和・軽減し作業効率を向上させる方法や手段も提案され提供されている。
【０００３】
郵便物の発送作業負担を軽減・緩和するものとしては、計数器（発送通数計数器）・郵便秤・料金計器（計器別納郵便用の郵便料金計器）など広義の郵便用計器類とフィーダなどの補助機器を挙げることができる。計数器が大量郵便物の発送作業に際して郵便物の発送数の確認を容易にすることは言うまでもなく、郵便秤も郵便料金体系のデータを蓄積する記憶手段と秤量郵便物の重量から料金を換算して表示する処理手段を備えたものが提供され利用されている。また、計器別納郵便用の料金計器にあっても上記郵便秤を備え或いは郵便秤のデータを読み込んで蓄積・処理できる手段を備えたものが提供されている。
他方、発送郵便物のデータ管理作業に伴う負担を軽減緩和したものは、言うまでもなくコンピュータの普及とその処理機能並びに記憶容量の充実である。廉価な市販のパソコンも高い演算処理機能と十分な容量の記憶手段を備えており、発送郵便物のデータを逐次入力することさえできれば、大量郵便物の累積する発送データも容易に記憶・蓄積し、必要に応じて検索・集計などの管理作業に供することができる。
しかしながら、郵便物の発送作業と発送郵便物のデータ管理作業の両面において、それらの作業効率を向上させ負担を軽減・緩和する上記の手段・方法が提供され利用されてきたにも拘わらず、両作業の大きな負担を訴えてさらなる緩和・軽減を求める声が跡を絶たない。
図４は、従来の郵便物発送作業と発送郵便物のデータ管理作業の概要を示す作業構成図である。
【０００４】
郵便物発送作業Ｗ’においては郵便用計器類４’を活用してその作業効率の向上と負担の軽減・緩和に努め、発送郵便物のデータ管理作業では郵便物発送作業Ｗ’の単位作業記録データをパソコン１’に入力してその記憶手段１１’に蓄積させ、所望の検索と集計利用を可能にしている。
特に、図２の従来作業では郵便用計器類４’に補助機器であるフィーダを併用し、これらを適宜連接して作業の機械化を実現する試みも行われている。
【０００５】
即ち、例えば［フィーダ・郵便秤・料金計器］を連設すれば、フィーダで連続供給される大量の計器別納郵便物を順次秤量して［重量−料金］換算させると共に、その料金の金額を郵便物或いは証紙用ラベルに次々とスタンプ印字させる一連の機械化作業が可能となる。また、［フィーダ・計数器］を連設して郵便秤を併用する場合にも、後納郵便などその他の郵便物の発送作業において同様の機械化加えて作業効率を向上させてその負担を軽減・緩和できる。
しかし、図４の作業構成においては、郵便物発送作業Ｗ’と発送郵便物のデータ管理作業がデータ利用において基本的に分断されていることを指摘しなければならない。
【０００６】
即ち、郵便物発送作業Ｗ’においては、発送郵便物の全てについて発送者（発送部門）・郵便種別・重量・料金などの個別データが選定・利用・確認され、少なくともその一部は郵便用計器類４’を利用するために入力或いは設定されている。しかし、それらのデータは郵便物発送作業Ｗ’限りで消費され、単にその記録が作業結果として残されるに止まっている。
このため、パソコン１’を利用して発送郵便物のデータ管理作業を行うためには郵便物発送作業Ｗ’の後に作業記録として残された発送郵便物のデータと郵便計器類４’に保存されたデータとを、マニュアル若しくはこれに代わる何らかの手段を用いた別途の入力作業Ｍ’によってパソコン１’に入力して蓄積しなければならない。
また、郵便物発送作業Ｗ’とデータ管理作業が分断されている結果、図４の作業構成図が示す通り、従来作業においてはパソコン１’がデータ管理作業に用いられるに止まっており、郵便物発送作業Ｗ’に些かも関与するところがない。現在の郵便物発送作業Ｗ’の作業効率の向上と負担の軽減・緩和が、記憶容量と演算処理能力の両面で大きく制約された郵便用計器類４’に大きく依存していることは既に見た通りである。この点で、これら郵便用計器類４’に比較して格段に高い記憶容量と処理能力を有するパソコン１’を、郵便物発送作業Ｗ’に用いることができるならば、郵便物発送作業Ｗ’の効率をさらに向上させ負担を軽減・緩和することが可能であるものと考えられる。
【０００７】
このように、従来作業においては郵便物の発送作業と発送郵便物のデータ管理作業の間が分断されて一つのデータ・システムを構築しておらず、データ管理作業においては発送作業とは別途の入力作業Ｍ’が多大な負担を課すと共に、郵便物発送作業Ｗ’においてはパソコン１’が作業効率の向上と負担の軽減・緩和のために全く用いられていない点に明らかな問題を抱えているのであり、このためにいずれの作業においても多大な労力と経費の負担が残されてしまっているのである。
【０００８】
【特許文献１】
特開２００１−０４１８１０
【特許文献２】
特開２００２−２１６１９５
【特許文献３】
特開２００２−３６６６１７
【０００９】
【発明が解決しようとする課題】
本発明はかかる問題に鑑みてなされたものであり、その目的とするところは、発送郵便物のデータ管理作業のためだけに用いられていたコンピュータを郵便物の発送作業にも用いてその効率を向上させ負担を軽減・緩和すると共に、発送郵便物のデータ管理作業に不可避に伴っていた別途の入力作業を不要とし若しくは軽減・緩和する、郵便物のデータ処理方法とデータ処理システムを提供するところにある。
【００１０】
【課題を解決するための手段】
本発明はこの課題を解決し目的を達成するために、以下に掲げる構成とした。
請求項１の発明は、コンピュータの記憶手段に郵便種別並びに郵便料金のデータと差出人のデータと発送郵便物のデータとを蓄積し、該記憶手段に蓄積されたデータを郵便物発送作業の内容乃至目的に応じて指定された表示形式で出力手段に出力し、出力された蓄積データの表示項目を選定・設定して前記コンピュータに入力することにより発送郵便物の発送内容と発送方法を特定して郵便物発送作業を実行すると共に、該入力それ自体により発送郵便物のデータを前記コンピュータに入力して蓄積させることを特徴とする。
【００１１】
このように構成することにより、コンピュータに蓄積された所望のデータに支えられこれを利用する効率的で確実性が高く作業負担の少ない郵便物の発送を確保し、また発送郵便物のデータ管理作業のために発送作業とは別途に行われていた発送郵便物のデータの入力作業を不要とし若しくはその作業負担を著しく軽減・緩和する。
【００１２】
請求項２の発明は、出力された蓄積データの表示項目を選定・設定してコンピュータに入力することにより該コンピュータを以て郵便用計器類と郵便物発送用の補助機器を制御することを特徴とする。
【００１３】
このように構成することにより、郵便物の発送作業に資する機器類を一元的且つ効率的にに制御・運用する。
【００１４】
請求項３の発明は、出力された蓄積データの表示項目の選定・設定をタッチパネルを以てコンピュータに入力することを特徴とする。
【００１５】
このようにタッチパネルを用いることで、データ処理の実施をより容易なものとする。
【００１６】
請求項４の発明は、郵便種別並びに郵便料金のデータと差出人のデータと発送郵便物のデータとを蓄積する記憶手段を備えたコンピュータと、該コンピュータの記憶手段に蓄積されたデータを郵便物発送作業の内容乃至目的に応じて指定された表示形式で出力する出力手段と、出力された蓄積データの表示項目を選定・設定して前記コンピュータに入力することにより発送郵便物の発送内容と発送方法を特定して郵便物発送作業を実行すると共に該入力それ自体により発送郵便物のデータを前記コンピュータに入力して蓄積させる入力手段と、前記コンピュータに制御可能に接続された郵便用計器類とを有してなることを特徴とする。
【００１７】
このように構成することにより、郵便物の発送作業においてコンピュータに蓄積された所望のデータを利用して作業することを可能且つ容易とし、また発送作業とは別途に行われていた発送郵便物のデータ入力作業に依存することがなく若しくは著しく少ないデータ管理作業を可能とするデータ処理システムを確保する。
【００１８】
請求項５の発明は、コンピュータに郵便物発送用の補助機器を接続してなることを特徴とする。
【００１９】
このように構成することにより、郵便用計器類と連設し併用することで郵便物の発送作業の作業性を高める補助機器をコンピュータの一元的な制御の下に置き機器類全体の効率的な利用を確保する。
【００２０】
請求項６の発明は、入力手段がタッチパネルであることを特徴とする。
【００２１】
このように構成することにより、データ処理システムのより容易な実施を実現する。
【００２２】
請求項７の発明は、記憶手段に郵便種別並びに郵便料金のデータと差出人のデータと発送郵便物のデータとを蓄積し、該記憶手段に蓄積されたデータを郵便物発送作業の内容乃至目的に応じて指定された表示形式で出力手段に出力し、出力された蓄積データの表示項目を選定・設定して前記コンピュータに入力することにより発送郵便物の発送内容と発送方法を特定して郵便物発送作業を実行すると共に、該入力それ自体により発送郵便物のデータを前記コンピュータに入力して蓄積させる、郵便物のデータ処理をコンピュータに行わせるためのプログラムを記録した記録媒体であることを特徴とする。
【００２３】
このように構成するプログラムにより、通常市販のパソコン類によっても、郵便物の発送作業と発送郵便物のデータ管理作業双方の作業効率を向上させ負担を軽減・緩和する郵便物のデータ処理の実施を可能とする。
【００２４】
【発明の実施の形態】
以下、本発明に係る郵便物の  データ処理方法とデータ処理システムの一実施形態について、図面に基づいて説明する。
【００２５】
図１は本実施形態に係る郵便物のデータ処理システムの概略を示すシステム構成図、図２はそのハードウェア構成図、図３はそのブロック図である。
図１に示す通り、本実施形態に係る郵便物のデータ処理システムは、記憶手段１１と演算手段１２を備えたパソコン１と、該パソコン１にデータや指示を入力する入力手段２並びに入力・蓄積された所望のデータや指示に基づく処理結果を出力する出力手段３と、該コンピュータの制御の下で郵便物発送作業Ｗに用いることができる郵便用計器類４によって構成されている。さらに具体的な構成の一例は図２及び図３に示されているところで、パソコン１としては、演算手段１２であるプロッセサ１２ａと記憶手段１１であるメモリ１１ａ並びにハードディスク１１ｂとを搭載し、主たる出力手段３となる液晶ディスプレイ１ａを備えた通常市販と同型のものを用いている。主たる入力手段２としては液晶ディスプレイ１ａの表面でその出力表示を視認しながら操作することのできるタッチパネル２１を採用し、郵便用計器類４である料金計器４１、郵便秤４２，計数器４３及び郵便物発送用の補助機器となるフィーダー４４はパソコン１本体に設けられたＣＯＭポート１５を介してパソコン１によって制御可能に接続されている。また、この実施形態では、データの集計結果や帳票類などを発行するための出力手段３であるプリンター３１と補助的な入力手段２として用いるリーダー２２もパソコン１に接続した。このパソコン１のハードディスク１１ｂには、郵便種別のデータ、郵便料金のデータ、差出人のデータが蓄積されていると共に、この処理システムを用いて発送される郵便物のデータが順次入力されて蓄積される。
【００２６】
ここで、郵便種別のデータとは、現行郵便制度で定められた分類と種類を指し、国内・国際、国内郵便分類・国際郵便分類、各分類別種類（定形・定形外）、地帯、特殊扱い、割引及び料金納付方式（郵便料金計器別納処理・郵便料金後納処理）を挙げることができる。
【００２７】
郵便料金のデータは、郵便種別と重量を基準に体系的に定められている現行の郵便料金であり、各郵便料金には郵便種別及び重量と対応関係を与え郵便種別・重量から郵便料金を換算処理できるよう蓄積させる。
【００２８】
差出人のデータは、差出人を特定するために必要とされる全ての情報を内容とできるが、本実施形態では事業所内の差出部門を選び、各部門毎に異なるコード番号を設定しこれに照応する部門名称と対応関係を与えて蓄積させる。
これらデータは、外部から読み込まれ或いはハードディスク１１ｂに保存されたプログラムの支配の下に置かれるから、タッチパネル２１を介して与えられる指示に基づいてメモリ１１ａに呼び出され、プログラムの定めるところに従ってプロセッサ１２ａによる処理を施される。
郵便用計器類４である料金計器４１、郵便秤４２，計数器４３と郵便物発送用の補助機器となるフィーダー４４はパソコン１に制御可能に接続されているから、同様にタッチパネル２１を介して与えられる指示に基づきプログラムの定めるところに従って運用・制御される。
本実施形態に係る郵便物のデータ処理システムの構成は以上の通りであり、本実施形態ではこのデータ処理システムを用いて以下の通りにデータを処理する。
【００２９】
即ち、郵便物の発送作業においては、パソコン１に蓄積された差出人のデータを液晶ディスプレイ１ａに選択可能な指定形式で出力表示させると共に、液晶ディスプレイ１ａ表面に設けたタッチパネル２１を用いて選択・指定させることにより、その発送郵便物の差出人を特定するデータをパソコン１に入力し、該データを記憶させる。しかる後、同様に郵便種別のデータと郵便料金のデータを液晶ディスプレイ１ａに選択可能な指定形式で出力表示させ、タッチパネル２１を使って選択・指定させることによって、当該郵便物の発送内容と発送方法（郵便種別、料金、重量、料金納付方式、差出日など）を特定するデータをパソコン１に入力し、既に入力・記憶された差出人を特定するデータと関係づけて記憶させる。
【００３０】
このようにパソコン１を用いることにより、蓄積されたデータの出力表示という支援・支持の下で、個別の郵便物の差出人を確認し発送内容と発送方法（郵便種別、料金、重量、料金納付方式、差出日時など）を選定・確認するという一連の郵便物の発送作業を効率的に行うことができるばかりでなく、パソコン１の支援・支持を受けた発送作業それ自体によって個別の発送郵便物を特定するデータ（差出人のデータとこれに関連づけられた郵便種別、料金、重量、料金納付方式、差出日などのデータ）の全てがパソコン１に入力され記憶・蓄積されることになる。
特に、本実施形態では郵便物の発送作業を機械化して効率を向上させ負担を軽減・緩和させる郵便用計器類４の料金計器４１、郵便秤４２，計数器４３と郵便物発送用の補助機器としてのフィーダー４４を連設し、パソコン１による制御の下で利用しており、これら機器類を用いた郵便物の発送作業も液晶ディスプレイ１ａの出力表示に従いタッチパネル２１で選択・指定して実行されている。この結果、大量の郵便物を短時間で機械的に発送するという便宜を享受しながら、タッチパネル２１による選択・指定と機器類による実行という簡便な発送作業それ自体によって、発送郵便物のそれぞれを特定する全ての若しくは主要な発送データをパソコン１に入力し記憶・蓄積させることになる。
図５は本実施形態に係る郵便物の発送作業におけるデータ処理の一例を示すフローチャートであり、図６乃至図９は液晶ディスプレイ１ａに出力表示される選択画面の一例である。
【００３１】
図示の通り、本実施形態のデータ処理によれば、郵便物発送作業の前提となる個別郵便物の発送内容と発送方法を特定するデータが、液晶ディスプレイ１ａを介した選択画面（図６乃至図９）として順次提供され、これを視認しながら主にタッチパネル２１によって選択・設定・実行を決定できるから、発送作業の効率と確実性が大きく向上する。
【００３２】
また、料金計器４１、郵便秤４２，計数器４３などの郵便用計器類４と郵便物発送用の補助機器としてのフィーダー４４を、一連の発送作業の中でパソコン１によって一元的に制御するため、これら機器類がもたらす作業負担の軽減・緩和の機能をさらに高める。
即ち、パソコンが発送郵便物のデータ管理作業にのみ用いられ、郵便物発送作業を支援・支持しない従来作業では、これら機器類を効果的に連設しフィーダー４４で供給される大量の郵便物を一貫した機械化作業で短時間に処理しようと企図しても、例えば郵便秤による［重量−料金］の換算データが計器別納郵便のための料金計器にしか送られず、後納郵便の発送処理に同一の郵便秤を併用することができないなどの問題を抱えていた。
【００３３】
しかし、本実施形態では、各機器に入力・設定されるデータの全てがパソコンに入力・記憶され、このパソコンの指令によって一元的に運用・制御されるから、例えば同一の郵便秤を計器別納処理と後納処理に併用した機械化処理も可能になる。
このように、本実施形態では、パソコン１の支援・支持の下にタッチパネル２１を介して遂行される郵便物の発送作業それ自体によって、個別の発送郵便物を特定するデータ（郵便種別、料金、重量、料金納付方式、差出日など）がパソコン１に入力され、設定された差出人のデータと関連づけて記憶・蓄積されるから、従来の発送郵便物のデータ管理作業において逃れることができなかった発送作業とは別途のデータ入力作業の負担をを不要とし若しくは著しく軽減・緩和することが可能である。
【００３４】
また、郵便物の発送作業それ自体によって発送郵便物を特定する全てのデータを負担無くパソコン１に入力し記憶蓄積させることができるから、例えば図１０乃至図１３に示した部門別集計や部門・種類別集計などの所望の集計管理を容易に遂行することができ、データ管理作業自体の作業性も大きく向上する。
【００３５】
さらに、本件実施形態はパソコン１を用いたデータ管理作業については特定の処理形態を求めるところがない。したがって、従前のデータ管理作業にのみ利用されていたパソコンに本件実施形態のデータ処理を適用し、郵便物の発送作業を支援・支持してその作業効率を向上させ負担を軽減・緩和することも、発送作業とは別途に行われるデータ入力作業を不要とし若しくは著しく軽減・緩和することも原理的に可能である。
なお、本実施形態では主たる入力手段２としてタッチパネル２１を、また主たる出力手段３として液晶ディスプレイ１ａを選択したが、これは作業者による本発明の実施の便を考慮したもので、他の入力手段２や出力手段３を用いても本発明の実施が妨げられることはない。
【００３６】
【発明の効果】
本発明は以上のように構成されているので、以下に掲げる効果を奏する。
【００３７】
請求項１の発明によれば、発送郵便物のデータ管理作業に用いるコンピュータを以て郵便物の発送作業を支援・支持し、この発送作業それ自体によって発送郵便物のデータをコンピュータに入力して蓄積させるから、郵便物の発送作業と発送郵便物のデータ管理作業双方の作業効率を向上させ負担を軽減・緩和することができる。
【００３８】
請求項２の発明によれば、郵便用計器類と郵便物発送用の補助機器による郵便物発送作業の作業性を向上させることができる。
【００３９】
請求項３の発明によれば、誰もが容易にデータ処理を行うことができる。
【００４０】
請求項４の発明によれば、簡易な構成によって郵便物の発送作業と発送郵便物のデータ管理作業双方の作業効率を向上させ負担を軽減・緩和する郵便物のデータ処理システムを提供することができる。
【００４１】
請求項５の発明によれば、郵便用計器類と郵便物発送用の補助機器を一元的に制御するから、これら機器類を用いた郵便物発送作業の作業効率をさらに向上させる郵便物のデータ処理システムを実現できる。
【００４２】
請求項６の発明によれば、誰もが容易に実施できる郵便物のデータ処理システムを提供することができる。
【００４３】
請求項７の発明によれば、プログラムの利用によって郵便物の発送作業と発送郵便物のデータ管理作業双方の作業効率を向上させ負担を軽減・緩和する郵便物のデータ処理を実現することができる。
【図面の簡単な説明】
【図１】本発明の一実施形態に係るデータ処理システムの概略を示すシステム構成図。
【図２】同ハードウェア構成図。
【図３】同ブロック図
【図４】従来の作業の概略を示す作業構成図。
【図５】本件発明の一実施形態に係る郵便物の発送作業におけるデータ処理の一例を示すフローチャート。
【図６】作業選択画面。
【図７】部門分類設定画面。
【図８】後納郵便入力画面。
【図９】計器別納郵便入力画面。
【図１０】集計作業選択画面。
【図１１】部門別集計画面。
【図１２】部門種類別集計画面。
【図１３】集計表示画面。
【符号の説明】
１    パソコン
１ａ  液晶ディスプレイ
２、２’  入力手段
３，３’  出力手段
４，４’  郵便用計器類
１１，１１’  記憶手段
１１ａ  メモリ
１１ｂ  ハードディスク
１２，１２’  演算手段
１２ａ  プロセッサ
１５  ＣＯＭポート
１６  シリアル変換基板
２１  タッチパネル
２２  リーダー
３１  プリンター
４１  料金計器
４２  郵便秤
４３  計数器
４４  フィーダー
Ｍ’  入力作業
Ｗ，Ｗ’  郵便物発送作業
【図１】
2004272525.tif 000003
【図２】
2004272525.tif 000004
【図３】
2004272525.tif 000005
【図４】
2004272525.tif 000006
【図５】
2004272525.tif 000007
【図６】
2004272525.tif 000008
【図７】
2004272525.tif 000009
【図８】
2004272525.tif 000010
【図９】
2004272525.tif 000011
【図１０】
2004272525.tif 000012
【図１１】
2004272525.tif 000013
【図１２】
2004272525.tif 000014
【図１３】
2004272525.tif 000015